(57)【特許請求の範囲】
【請求項１】
バッグ本体、キャップ、ベースおよび複数の支持フレームを備え、
前記バッグ本体は、直方体を呈し、上側辺部、下側辺部および二つの向かい合う長側辺部を有し、二つの前記長側辺部は前記上側辺部および前記下側辺部の間に位置し、前記上側辺部および前記下側辺部はそれぞれの辺縁部の近くに形成された複数の貫通孔を有し、前記貫通孔は前記バッグ本体の表および裏の両面を貫通し、
前記キャップは、環状筐体と、前記環状筐体の外側壁面に環状に配置された複数の嵌合ユニットを有し、前記嵌合ユニットは回転つまみを有し、前記嵌合ユニットの前記回転つまみは前記バッグ本体の前記上側辺部の前記貫通孔を貫通し、
前記ベースは、底面と、前記底面を囲む側辺壁面と、前記側辺壁面の外側に環状に配置された複数の嵌合ユニットとを有し、前記嵌合ユニットは回転つまみを有し、前記嵌合ユニットの前記回転つまみは前記バッグ本体の前記下側辺部の前記貫通孔を貫通し、
前記支持フレームは、一端が前記キャップの底面に装着され、他端が前記ベースに装着されるため、前記キャップおよび前記ベースは前記支持フレームによって向かい合って一定した距離を保つことができることを特徴とする、
組み合わせ型キャディーバッグ。
【請求項２】
前記貫通孔の長軸は、前記上側辺部および前記下側辺部に相対するように設けられることを特徴とする請求項１に記載の組み合わせ型キャディーバッグ。
【請求項３】
前記貫通孔の長軸は、二つの前記長側辺部に相対するように設けられることを特徴とする請求項１に記載の組み合わせ型キャディーバッグ。
【請求項４】
前記キャップは、さらに内側に配置された格子柵を有し、前記格子柵は前記キャップに囲まれた範囲を複数の格子に分割することを特徴とする請求項１に記載の組み合わせ型キャディーバッグ。
【請求項５】
前記キャップは、さらに底面に配置された複数のホルダーを有し、前記支持フレームは一端が前記キャップの前記底面の前記ホルダーに装着されることを特徴とする請求項１に記載の組み合わせ型キャディーバッグ。
【請求項６】
前記ベースは、さらに複数のホルダーを有し、前記支持フレームは他端が前記ベースの前記ホルダーに装着されることを特徴とする請求項５に記載の組み合わせ型キャディーバッグ。
【請求項７】
前記キャップの前記ホルダーの数および前記ベースの前記ホルダーの数は前記支持フレームの数と同じであることを特徴とする請求項６に記載の組み合わせ型キャディーバッグ。
【請求項８】
前記貫通孔は、環状スリーブを有し、前記環状スリーブは前記貫通孔の周縁に被さるため、前記嵌合ユニットの前記回転つまみは前記貫通孔を貫通し、回転した後、前記環状スリーブに当接することを特徴とする請求項１に記載の組み合わせ型キャディーバッグ。
【請求項９】
二つの前記長側辺部は、ファスナーによって結合し、前記ファスナーを開けると二つの前記長側辺部が分離し、前記ファスナーを閉めると二つの前記長側辺部が結合することを特徴とする請求項１に記載の組み合わせ型キャディーバッグ。
【発明の詳細な説明】
【技術分野】
【０００１】
本発明は、キャディーバッグ、特に組み合わせ型キャディーバッグに関するものである。
【背景技術】
【０００２】
一般のゴルフクラブを格納するキャディーバッグは直方体を呈し、頂面に形成された開口部と、開口部に配置されたギャップと、底面に形成されたベースとを有する。多くのキャディーバッグはバッグ本体にギャップおよびベースをミシンで縫製することによって成型されるため、製作上の利便性を有する。しかしながら、キャップおよびベースはミシン縫製によってバッグ本体に固定されるため、キャディーバッグの運送および収納に不便である。それに対し、ファスナー（ｚｉｐｐｅｒ）またはスナップボタン（ｓｎａｐ−ｆａｓｔｅｎｅｒ）によってキャップおよびベースをバッグ本体に着脱可能に結合させる構造が提案された。しかしながら、こうした方式によって結合したキャディーバッグの構造は耐荷重性があまりよくないため、ベースが逸脱するという事態が起こりやすい。
【発明の概要】
【発明が解決しようとする課題】
【０００３】
本発明は、上述した欠点に鑑み、バッグ本体にキャップおよびベースの着脱を容易に行うことができるだけでなく、キャップ、ベースおよびバッグ本体の組み合わせ状態を安定させることによって耐荷重性を向上させることができる組み合わせ型キャディーバッグを提供することを主な目的とする。
【課題を解決するための手段】
【０００４】
上述の目的を達成するために、本発明による組み合わせ型キャディーバッグは、バッグ本体、キャップおよびベースを備える。バッグ本体は上側辺部、下側辺部および二つの向かい合う長側辺部を有する。二つの長側辺部は上側辺部および下側辺部の間に位置する。上側辺部および下側辺部はそれぞれの辺縁部の近くに形成された複数の貫通孔を有する。貫通孔はバッグ本体の表および裏の両面を貫通する。キャップは環状筐体と、環状筐体の外側壁面に環状に配置された複数の嵌合ユニットを有する。嵌合ユニットは回転つまみを有する。嵌合ユニットの回転つまみはバッグ本体の上側辺部の貫通孔を貫通する。ベースは底面と、底面を囲む側辺壁面と、側辺壁面の外側に環状に配置された複数の嵌合ユニットとを有する。嵌合ユニットは回転つまみを有する。嵌合ユニットの回転つまみはバッグ本体の下側辺部の貫通孔を貫通する。
【図面の簡単な説明】
【０００５】
【図１】本発明の第１実施形態による組み合わせ型キャディーバッグを示す斜視図である。
【図２】本発明の第１実施形態による組み合わせ型キャディーバッグを示す分解斜視図である。
【図３】本発明の第１実施形態による組み合わせ型キャディーバッグのバッグ本体およびキャップを組み合わせる前の状態を示す断面図である。
【図４】本発明の第１実施形態による組み合わせ型キャディーバッグのバッグ本体およびキャップを組み合わせた後の状態を示す断面図である。
【図５】本発明の第１実施形態による組み合わせ型キャディーバッグの貫通孔が長側辺部に相対して配置された状態を示す立体図である。
【図６】本発明の第２実施形態による組み合わせ型キャディーバッグのバッグ本体およびキャップを組み合わせる前の状態を示す断面図である
【図７】本発明の第２実施形態による組み合わせ型キャディーバッグのバッグ本体およびキャップを組み合わせた後の状態を示す断面図である
【発明を実施するための形態】
【０００６】
以下、本発明による組み合わせ型キャディーバッグを図面に基づいて説明する。
【０００７】
（第１実施形態）
図１および図２に示すように、本発明の第１実施形態による組み合わせ型キャディーバッグは、バッグ本体１０、キャップ２０、ベース３０および複数の支持フレーム４０を備える。
【０００８】
バッグ本体１０は直方体を呈し、布またはプラスチックなどの可とう性のある材料から製作され、上側辺部１１、下側辺部１２および二つの向かい合う長側辺部１３を有する。二つの長側辺部１３は上側辺部１１および下側辺部１２の間に位置する。バッグ本体１０を湾曲させれば二つの長側辺部１３を相互に接触させることができる。二つの長側辺部１３はファスナー１４によって結合する。つまり、ファスナー１４を開けると二つの長側辺部１３が分離する。ファスナー１４を閉めると二つの長側辺部１３が結合する。上側辺部１１および下側辺部１２はそれぞれの辺縁部の近くに形成された複数の貫通孔１５を有する。貫通孔１５はバッグ本体１０の表および裏の両面を貫通する。貫通孔１５の長軸は図２に示すように上側辺部１１および下側辺部１２に相対するか、図５に示すように二つの長側辺部１３に相対するように設けられる。
【０００９】
キャップ２０は、環状筐体２１と、環状筐体２１の外側壁面に環状に配置された複数の嵌合ユニット２２と、内側に配置された格子柵２３と、底面に配置された複数のホルダー２４とを有する。嵌合ユニット２２は直方体の回転つまみを有する。キャップ２０はバッグ本体１０の上側辺部１１に被さる。嵌合ユニット２２の回転つまみはバッグ本体１０の上側辺部１１の貫通孔１５を貫通する。図３および図４に示すように、貫通孔１５を貫通した嵌合ユニット２２の回転つまみを回し、バッグ本体１０の外側に締め付ければ、キャップ２０とバッグ本体１０とを結合させることができる。格子柵２３はキャップ２０に囲まれた範囲を複数の格子に分割し、ゴルフクラブを分類および格納する。
【００１０】
ベース３０は、底面３１と、底面３１を囲む側辺壁面３２と、側辺壁面３２の外側に環状に配置された複数の嵌合ユニット３３と、複数のホルダー３４とを有する。嵌合ユニット３３は直方体の回転つまみを有する。ベース３０はバッグ本体１０の下側辺部１２に被さる。嵌合ユニット３３の回転つまみはバッグ本体１０の下側辺部１２の貫通孔１５を貫通する。貫通孔１５を貫通した嵌合ユニット３３の回転つまみを回し、バッグ本体１０の外側に締め付ければ、ベース３０とバッグ本体１０とを結合させることができる。
【００１１】
支持フレーム４０は、一端がキャップ２０の底面のホルダー２４に差し込まれ、他端がベース３０のホルダー３４に差し込まれる。キャップ２０およびベース３０は複数の支持フレーム４０によって相対的位置に据えられ、一定した距離を保つことができる。キャップ２０のホルダー２４の数およびベース３０のホルダー３４の数は支持フレーム４０の数と同じである。
【００１２】
上述した通り、第１実施形態は嵌合ユニット２２、３３によってキャップ２０およびベース３０の着脱を迅速かつ容易に行うことができるため、収納または運送するための空間を縮減する目的を実現させる。一方、本発明において、バッグ本体１０およびキャップ２０またはベース３０の組み合わせ方式は嵌合ユニットの回転つまみを締め付け、固定することであるため、キャップ２０またはベース３０をバッグ本体１０に取り付けた後、結合強度が増加するだけでなく、逸脱現象が起こりにくい。つまり、キャディーバッグの耐荷重性を向上させることができるだけでなく、ベースがゴルフクラブの重さに耐えず、逸脱することを抑制することができる。
【００１３】
（第２実施形態）
図６および図７に示すように、バッグ本体１０およびキャップ２０またはベース３０の結合強度を高めるために、本発明の第２実施形態はバッグ本体１０の上側辺部１１および下側辺部１２の貫通孔１５に環状スリーブ１６を配置する。環状スリーブ１６は貫通孔１５の周縁に被さるため、嵌合ユニット２２の回転つまみは貫通孔１５を貫通し、回転した後、環状スリーブ１６に当接することができる。上述した構造により、バッグ本体１０の貫通孔１５のあたりに位置する生地を破損させることを抑制し、キャップ２０またはベース３０およびバッグ本体１０の結合強度を増加させることができる。
【符号の説明】
【００１４】
１０  バッグ本体
１１  上側辺部
１２  下側辺部
１３  長側辺部
１４  ファスナー
１５  貫通孔
１６  環状スリーブ
２０  キャップ
２１  環状筐体
２２  嵌合ユニット
２３  格子柵
２４  ホルダー
３０  ベース
３１  底面
３２  側辺壁面
３３  嵌合ユニット
３４  ホルダー
４０  支持フレーム
【要約】
【課題】組み合わせ型キャディーバッグを提供する。
【解決手段】組み合わせ型キャディーバッグは、バッグ本体、バッグ本体の上端部に被さるキャップと、バッグ本体の底部に被さるベースとを備える。キャップおよびベースは環状に配置された複数の嵌合ユニットを有する。嵌合ユニットは回転つまみを有する。バッグ本体は上側辺部および下側辺部に複数の貫通孔を有する。貫通孔はキャップおよびベースの嵌合ユニットに対応する。キャップおよびベースは嵌合ユニットによってバッグ本体と結合し、回転つまみによって締め付けられる。
【選択図】図１【図１】
0005947416.tif 000002
【図２】
0005947416.tif 000003
【図３】
0005947416.tif 000004
【図４】
0005947416.tif 000005
【図５】
0005947416.tif 000006
【図６】
0005947416.tif 000007
【図７】
0005947416.tif 000008